(57)【要約】【課題】排尿に際して下着の前立て開口部から陰茎を取り出しやすくするとともに、装着時の不快感を軽減する。【解決手段】表側前立て部３１と裏側前立て部３２とを重ね合わせて構成された前立て開口部３３を備えた男性用下着３０の肌当接面に貼着して使用する男性用吸収性物品１である。男性用下着３０の前立て開口部３３に対応する部位に、前立て開口部３３に沿って男性用吸収性物品１の一部が左右に分割された前開き部１０が形成されるとともに、前開き部１０で分割された一方側分割部１１の不透液性裏面シート２の外面側に粘着剤層１３が形成され、他方側分割部１２の不透液性裏面シート２の外面側に粘着剤層１４が形成されている。一方側分割部１１に形成された粘着剤層１３が、男性用下着３０の裏側前立て部３２に貼着され、他方側分割部１２に形成された粘着剤層１４が、男性用下着３０の表側前立て部３１に貼着されている。【選択図】図１
2019024590.tif 000002
【特許請求の範囲】
【請求項１】
透液性表面シートと不透液性裏面シートとの間に吸収体が介在されて成るとともに、表側前立て部と裏側前立て部とを重ね合わせて構成された前立て開口部を備えた男性用下着の肌当接面に貼着して使用する男性用吸収性物品において、
前記男性用下着の前立て開口部に対応する部位に、前記前立て開口部に沿って前記男性用吸収性物品の一部が左右に分割された前開き部が形成されるとともに、前記前開き部で分割された一方側分割部の前記不透液性裏面シートの外面側に粘着剤層が形成され、他方側分割部の前記不透液性裏面シートの外面側に粘着剤層が形成され、
前記一方側分割部に形成された粘着剤層が、前記男性用下着の表側前立て部及び裏側前立て部のうちの一方に貼着され、前記他方側分割部に形成された粘着剤層が、前記男性用下着の表側前立て部及び裏側前立て部のうちの他方に貼着されていることを特徴とする男性用吸収性物品。
【請求項２】
前記前開き部において、前記一方側分割部と前記他方側分割部とが重なり合うように配置されている請求項１記載の男性用吸収性物品。
【請求項３】
前記前開き部は、男性用吸収性物品の上端より下方側の位置から上下方向の中間位置まで形成されている請求項１、２いずれかに記載の男性用吸収性物品。
【請求項４】
前記前開き部は、肌当接面側からの平面視で、上下方向中心線より左側に偏倚した位置に、上下方向中心線に対して左側に０〜３０°の角度で形成されている請求項１〜３いずれかに記載の男性用吸収性物品。
【請求項５】
前記前開き部において前記一方側分割部が他方側分割部の肌当接面側に重ね合わされており、
前記一方側分割部の前記前開き部に沿って、肌側に起立する立体ギャザーが形成されている請求項１〜４いずれかに記載の男性用吸収性物品。
【発明の詳細な説明】
【技術分野】
【０００１】
本発明は、特に男性の軽失禁用に適した男性用吸収性物品に係り、詳しくは陰茎の出し入れが可能な前開き部を有するとともに、この前開き部が下着の前立て開口部と連動して開くように構成された男性用吸収性物品に関する。
【背景技術】
【０００２】
従来より、男性用吸収性物品としては、パッドを下着に貼着して用いるもの、男性器を被包した状態で用いるものなどが知られている。これらの男性用吸収性物品では、下着の前立て部に形成された前立て開口部を覆ってしまうため、排尿の際に下着の前立て開口部から陰茎を取り出すのが極めて困難であった。
【０００３】
この種の男性用吸収性物品にも幾多の改良が重ねられ、陰茎の出し入れを容易にしたものが種々開発されている。例えば、下記特許文献１においては、吸収性本体は、その上端部から中央部に亘って前記吸収性本体の一部が左右に分割され、前記分割された左右の吸収性本体のうちの一方の吸収性本体の分割部位寄りの側縁部からなる内側内面部と、他方の吸収性本体の分割部位寄りの側縁部からなり前記内側内面部の裏面に重なり合うように配置された外側内面部とによって、前記吸収性本体から着用者の男性器の先端を出すための前開き開口部が形成されている男性用軽失禁パッドが開示されている。
【０００４】
また、下記特許文献２においては、腹側部分、背側部分、およびこれらの間に位置する股下部分を有する外装シートと、この外装シートにおける陰茎対向部に設けられた陰茎挿通部と、前記外装シートの内面における前記陰茎挿通部の左側に固定された左立体ギャザーと、前記外装シートの内面における前記陰茎挿通部の右側に固定された右立体ギャザーとを備え、前記右立体ギャザーの本体部分における左側部と、前記左立体ギャザーの本体部分における右側部とが重なるように、前記右立体ギャザー及び左立体ギャザーが配置されており、前記外装シートの内面における前記陰茎挿通部を除く部位に、尿を吸収保持する吸収要素が設けられている男性用吸収性物品が開示されている。
【先行技術文献】
【特許文献】
【０００５】
【特許文献１】特開２０１０−２２０８３５号公報
【特許文献２】特開２０１３−１５４０３８号公報
【発明の概要】
【発明が解決しようとする課題】
【０００６】
しかしながら、上記特許文献１記載の男性用軽失禁パッドでは、排尿に際して陰茎を取り出す際、下着の前立て開口部から表側前立て部と裏側前立て部とをそれぞれ左右に広げて指を挿入した状態で、男性用軽失禁パッドの前開き開口部から外側内面部と内側内面部とをそれぞれ左右に広げて開口を形成し、更に指を挿入する動作が必要となる。従って、排尿に際して陰茎を取り出すのに、下着と男性用軽失禁パッドの両方に開口を形成しなければならないという手間があった。特に、男性用軽失禁パッドに開口を形成するには、下着の前立て開口部から指を挿入した状態で、狭い空間内において、目視で直接確認することができない手探りの状態で行わなければならないため、非常に困難であった。
【０００７】
また、上記特許文献２記載の男性用吸収性物品では、腹側部分、背側部分及び股下部分の腰回り全体を覆う外装シートに陰茎挿通部が設けられ、その内面に左立体ギャザー及び右立体ギャザーの側部同士が重なるように配置されている。軽度の失禁症状の人には、直接腰に巻き付けるようなタイプの吸収性物品であると、装着時に不快感を生じる可能性がある。
【０００８】
そこで本発明の主たる課題は、排尿に際して下着の前立て開口部から陰茎を取り出しやすくするとともに、装着時の不快感を軽減した男性用吸収性物品を提供することにある。
【課題を解決するための手段】
【０００９】
上記課題を解決するために請求項１に係る本発明として、透液性表面シートと不透液性裏面シートとの間に吸収体が介在されて成るとともに、表側前立て部と裏側前立て部とを重ね合わせて構成された前立て開口部を備えた男性用下着の肌当接面に貼着して使用する男性用吸収性物品において、
前記男性用下着の前立て開口部に対応する部位に、前記前立て開口部に沿って前記男性用吸収性物品の一部が左右に分割された前開き部が形成されるとともに、前記前開き部で分割された一方側分割部の前記不透液性裏面シートの外面側に粘着剤層が形成され、他方側分割部の前記不透液性裏面シートの外面側に粘着剤層が形成され、
前記一方側分割部に形成された粘着剤層が、前記男性用下着の表側前立て部及び裏側前立て部のうちの一方に貼着され、前記他方側分割部に形成された粘着剤層が、前記男性用下着の表側前立て部及び裏側前立て部のうちの他方に貼着されていることを特徴とする男性用吸収性物品が提供される。
【００１０】
上記請求項１記載の発明では、男性用下着の前立て開口部に対応する部位に、前開き部が形成されるとともに、前記前開き部によって一方側分割部と他方側分割部とに分割され、各分割部の不透液性裏面シートの外面側に粘着剤層が形成され、各粘着剤層が男性用下着の表側前立て部及び裏側前立て部にそれぞれ貼着されているため、排尿に際して下着の前立て開口部から陰茎を取り出すに当たって、下着の前立て開口部の表側前立て部と裏側前立て部とをそれぞれ左右に広げると、これに連動して、表側前立て部と裏側前立て部とにそれぞれ貼着された一方側分割部と他方側分割部とがそれぞれ左右に広がり、開口部が形成されるようになる。このため、従来の男性用吸収性物品のように、下着の前立て開口部から指を挿入した状態で、男性用吸収性物品の前開き部を左右に広げるような作業が不要となり、排尿に際して下着の前立て開口部から陰茎を取り出しやすくなる。また、本発明に係る男性用吸収性物品は、腰回りの全体に巻き付けるのではなく、普段着用している下着の前立て部に貼着するタイプなので、軽度の失禁症状の人でも、装着時における不快感が生じにくい。
【００１１】
請求項２に係る本発明として、前記前開き部において、前記一方側分割部と前記他方側分割部とが重なり合うように配置されている請求項１記載の男性用吸収性物品が提供される。
【００１２】
上記請求項２記載の発明では、前記前開き部において、前記一方側分割部と前記他方側分割部とが重なり合うように配置されているため、前開き部からの尿漏れが生じにくくなる。
【００１３】
請求項３に係る本発明として、前記前開き部は、男性用吸収性物品の上端より下方側の位置から上下方向の中間位置まで形成されている請求項１、２いずれかに記載の男性用吸収性物品が提供される。
【００１４】
上記請求項３記載の発明では、前記前開き部が、男性用吸収性物品の上端より下方側の位置から上下方向の中間位置まで形成され、前記前開き部より上側部分及び下側部分を左右に連続的に形成している。これにより、男性用下着の表側前立て部及び裏側前立て部をそれぞれ左右に広げたときの男性用吸収性物品の一方側分割部及び他方側分割部の連動性が良好になり、排尿に際して下着の前立て開口部から陰茎をより一層取り出しやすくなる。
【００１５】
請求項４に係る本発明として、前記前開き部は、肌当接面側からの平面視で、上下方向中心線より左側に偏倚した位置に、上下方向中心線に対して左側に０〜３０°の角度で形成されている請求項１〜３いずれかに記載の男性用吸収性物品が提供される。
【００１６】
上記請求項４記載の発明では、一般的な男性用下着の前立て開口部に合わせて、男性用吸収性物品の前開き部を形成するため、前開き部の位置及び傾斜角度を規定している。
【００１７】
請求項５に係る本発明として、前記前開き部において前記一方側分割部が他方側分割部の肌当接面側に重ね合わされており、
前記一方側分割部の前記前開き部に沿って、肌側に起立する立体ギャザーが形成されている請求項１〜４いずれかに記載の男性用吸収性物品が提供される。
【００１８】
上記請求項５記載の発明では、肌当接面側に重ね合わされた一方側分割部の前記前開き部に沿って、肌側に起立する立体ギャザーが形成されているため、装着時に前記開き部において一方側分割部と他方側分割部との間に陰茎が入り込むのを防ぐことができ、体液の漏れが防止できる。また、前記立体ギャザーによって体液が塞き止められるため、吸収体の端部からの体液の漏れも防止できる。
【発明の効果】
【００１９】
以上詳説のとおり本発明によれば、排尿に際して下着の前立て開口部から陰茎が取り出しやすくなるとともに、装着時の不快感が軽減できるようになる。
【図面の簡単な説明】
【００２０】
【図１】本発明に係る男性用吸収性物品１を肌当接面側から見た一部破断展開図である。
【図２】男性用吸収性物品１を非肌当接面側から見た展開図である。
【図３】図１のIII−III線矢視図である。
【図４】男性用吸収性物品１を装着した男性用下着３０の正面図である。
【図５】(A)は図４のV−V線矢視図、(B)は前立て開口部３３を開いた状態の図４のV−V線矢視図である。
【図６】(A)〜(C)は、男性用吸収性物品１の製造工程を示す展開図である。
【図７】立体ギャザー２０を備えた男性用吸収性物品１の展開図である。
【図８】他の形態例に係る男性用吸収性物品１の展開図である。
【発明を実施するための形態】
【００２１】
以下、本発明の実施の形態について図面を参照しながら詳述する。
【００２２】
本発明に係る男性用吸収性物品１は、図１〜図３に示されるように、ポリエチレンシート、ポリプロピレンシートなどからなる不透液性裏面シート２と、尿などの体液を速やかに透過させる透液性表面シート３と、これら両シート２，３間に介在された綿状パルプまたは合成パルプなどからなる吸収体４と、この吸収体４の形状保持および拡散性向上のために前記吸収体４の少なくとも肌側面及び非肌側面を覆うクレープ紙又は不織布などからなる被包シート５とから構成されている。また、前記吸収体４の周囲において、前記不透液性裏面シート２と透液性表面シート３との外縁部がホットメルトなどの接着剤やヒートシール、超音波シール等の接合手段によって接合され、外周に吸収体４の存在しないフラップ部Ｆが形成されている。
【００２３】
以下、さらに前記男性用吸収性物品１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２４】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００２５】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および体液を速やかに拡散させるとともに、一旦吸収した体液の逆戻りを防止するために被包シート５によって覆われるのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００２６】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２７】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の５〜６０％とするのが望ましい。高吸水性樹脂含有率が５％未満の場合には、十分な吸収能を与えることができず、６０％を超える場合にはパルプ繊維間の絡み合いが無くなり、シート強度が低下し破れや割れ等が発生し易くなる。
【００２８】
本例のように、吸収体４を覆う被包シート５を設ける場合には、結果的に透液性表面シート３と吸収体４との間に被包シート５が介在することになる。前記被包シート５がクレープ紙からなる場合には、吸収性に優れる前記被包シート５によって尿を速やかに拡散させるとともに、これら尿の逆戻りを防止するようになる。
【００２９】
前記吸収体４及び被包シート５のいずれか一方又は両方は、白色以外の色、好ましくは黒色や灰色など、比較的暗い、明度が小さな色を有しているのが好ましい。本発明は男性用吸収性物品に関するものなので、比較的暗い色を用いることにより男性用として落ち着いた印象を与えるとともに、暗い色の下着に装着したときに目立ちにくくなり、かつ排尿の跡も目立ちにくくなる。着色方法は特に限定されず、適宜の染色方法、或いは着色原料を用いることができる。また、吸収体４及び被包シート５のいずれか一方又は両方に活性炭を含有することにより、着色を施してもよい。これにより、活性炭による消臭効果も付加できるようになる。
【００３０】
前記男性用吸収性物品１は、図４及び図５に示されるように、前開きタイプの男性用下着３０に対し、前身頃中央部の肌当接面に貼着して使用される。前記男性用下着３０の前身頃には、表側前立て部３１と裏側前立て部３２とを重ね合わせて構成された前立て開口部３３が備えられている。
【００３１】
前記男性用下着３０は、表側前立て部３１と裏側前立て部３２との二重構造で構成された前記前立て開口部３３が備えられたボクサー型男性用下着であることが好ましい。前記前立て開口部３３は、男性用下着３０の表側（非肌当接面側）に、着用者の右側に向けて開口する表側開口端縁３３ａが形成されるとともに、男性用下着３０の裏側（肌当接面側）に、着用者の左側に向けて開口する裏側開口端縁３３ｂが形成されている。
【００３２】
前記男性用吸収性物品１は、男性用下着３０の前立て開口部３３に対応する部位に、前記前立て開口部３３に沿って男性用吸収性物品１の一部が左右に分割された前開き部１０が形成されている。前記男性用吸収性物品１は、前記前開き部１０が形成されることによって、この前開き部１０が形成された上下方向の範囲において、左右方向に対して、一方側分割部１１（図１に示される肌当接面側からの平面視で前開き部１０の右側に存在する部分）と、他方側分割部１２（図１に示される肌当接面側からの平面視で前開き部１０の左側に存在する部分）とに分割されるようになる。
【００３３】
図２に示されるように、前記一方側分割部１１の不透液性裏面シート２の外面側には、粘着剤層１３が少なくとも前記前開き部１０の近傍に形成されている。また、前記他方側分割部１２の不透液性裏面シート２の外面側にも、同じように粘着剤層１４が少なくとも前記前開き部１０の近傍に形成されている。また、本男性用吸収性物品１では、前記一方側分割部１１に、前記粘着剤層１３から左右方向に離隔して１又は複数の、図示例では１本の粘着剤層１５が上下方向に沿って形成されるとともに、前記前開き部１０より下方側の領域に、１又は複数の、図示例では、左右方向に離隔する２本の粘着剤層１６、１６が形成されている。また、図示しないが、他方側分割部１２にも前記粘着剤層１４の他に粘着剤層を形成してもよい。これらの粘着剤層１３〜１６は、男性用吸収性物品１を男性用下着３０の内面に貼着するためのものである。
【００３４】
図４及び図５に示されるように、前記一方側分割部１１に形成された粘着剤層１３は、男性用下着３０の裏側前立て部３２に貼着され、前記他方側分割部１２に形成された粘着剤層１４は、裏側開口端縁３３ｂの外側に延在した男性用下着３０の表側前立て部３１に貼着されている。すなわち、男性用下着３０の前立て開口部３３のうち、裏側開口端縁３３ｂとほぼ一致する位置に、男性用吸収性物品１の前開き部１０が配置され、この裏側開口端縁３３ｂの両側に位置する裏側前立て部３２及び表側前立て部３１にそれぞれ、前開き部１０の両側に位置する粘着剤層１３、１４が貼着されている。
【００３５】
以上の構成によって、本男性用吸収性物品１では、図５(B)に示されるように、排尿に際して男性用下着３０の前立て開口部３３から陰茎を取り出すに当たって、男性用下着３０の前立て開口部３３の表側開口端縁から表側前立て部３１と裏側前立て部３２とをそれぞれ左右に広げると、これに連動して、表側前立て部３１と裏側前立て部３２とにそれぞれ貼着された一方側分割部１１と他方側分割部１２とがそれぞれ左右に広がり、男性用下着３０及び男性用吸収性物品１を一体的に貫通する開口部が形成されるようになる。このため、排尿に際して男性用下着３０の前立て開口部３３から陰茎が取り出しやすくなる。
【００３６】
また、本男性用吸収性物品１は、腰回りの全体に巻き付けるタイプのものではなく、普段着用している男性用下着３０の前立て部に貼着するタイプなので、軽度の失禁症状の人でも、装着時における不快感を生じにくい。
【００３７】
前記前開き部１０において、一方側分割部１１と他方側分割部１２とは重なっていなくてもよいが、図１に示されるように、一方側分割部１１と他方側分割部１２とが重なり合うように配置されているのが好ましい。一方側分割部１１と他方側分割部１２とが重なり合うように配置されることにより、前開き部１０からの体液の漏れが生じにくくなる。前開き部１０からの体液の漏れをより確実に防止する観点から、少なくとも一部で前記一方側分割部１１と他方側分割部１２の吸収体４同士が重なり合うように配置するのが好ましい。
【００３８】
前開き部１０の上側端縁における前記一方側分割部１１と他方側分割部１２との重なり幅Ａは、１０〜２０ｍｍであるのがよい。重なり幅Ａが大きすぎると前開き部１０が開口しにくくなり、陰茎を出し入れしにくくなる。一方、重なり幅Ａが小さすぎると、前開き部１０からの体液の漏れが生じやすくなる。
【００３９】
本実施形態に係る男性用吸収性物品１では、前開き部１０より上側の男性用吸収性物品１の上側外形線までの間に、一方側分割部１１の前開き部１０より上側に延在する部分と、他方側分割部１２の前開き部１０より上側に延在する部分とが、ホットメルトなどの接着剤やヒートシール、超音波シール等の接合手段によって接合された接合部１７が設けられている。前記接合部１７を設けることにより、前開き部１０における一方側分割部１１及び他方側分割部１２の位置がある程度固定でき、前開き部１０からの体液の漏れや前開き部１０が意図せずに口開きするのが防止できる。
【００４０】
男性用吸収性物品１の上端から前開き部１０の上側端縁までの上下方向の距離Ｂは、３０〜４０ｍｍとするのがよい。
【００４１】
前記前開き部１０は、男性用吸収性物品１の上端より下方側の位置から、男性用吸収性物品１の上下方向の中間位置までの範囲に形成するのが好ましく、前記前開き部１０より上側部分及び下側部分はそれぞれ左右に連続的に形成するのが好ましい。これにより、男性用下着３０の表側前立て部３１及び裏側前立て部３２をそれぞれ左右に広げたときの男性用吸収性物品１の一方側分割部１１及び他方側分割部１２の連動性が高まり、排尿に際して下着の前立て開口部３３から陰茎がより一層取り出しやすくなる。
【００４２】
前記前開き部１０の長さＬは、１１０〜１２０ｍｍとするのがよい。一般的なボクサー型男性用下着の前立て開口部３３の長さが約１１０ｍｍ前後であるため、男性用吸収性物品１の前立て開口部３３と同等かこれより若干長く形成するのが好ましい。
【００４３】
前記前開き部１０は、図１に示されるように、肌当接面側からの平面視で、上下方向中心線ＣＬより左側に偏倚した位置に形成するのが好ましい。図４に示されるように、一般的な男性用下着３０の前立て開口部３３の裏側開口端縁３３ｂが、男性用下着３０の中央より右側に偏倚した位置に設けられているため、これに対応して設けるのがよい。
【００４４】
また、前記前開き部１０は、男性用下着３０の前立て開口部３３の裏側開口端縁３３ｂに対応して、上下方向中心線ＣＬに対して左側に所定の角度で傾斜して設けるのが好ましい。上下方向中心線ＣＬに対する傾斜角αとしては、０〜３０°とするのが好ましい。一般的な男性用下着３０の前立て開口部３３の裏側開口端縁３３ｂの前記傾斜角αが１０°前後であるので、これに対応したものである。
【００４５】
前記前開き部１０が、図１に示されるように、上下方向中心線ＣＬより左側に偏倚した位置に形成されるとともに、上下方向中心線ＣＬに対して左側に所定の角度で傾斜して設けられることによって、一方側分割部１１は他方側分割部１２より広い面積で形成されるようになる。これによって、前記一方側分割部１１は、装着時に広く着用者の股間部を覆うため、主に装着時における失禁などによる尿を吸収する役割がある。また、前記他方側分割部１２は、前記一方側分割部１１と同様に、装着時における失禁などによる尿を吸収する役割とともに、排尿後に陰茎を男性用下着内に戻すときに、表側前立て部３１に陰茎が当たって尿が付着するのを防止する役割もある。
【００４６】
男性用吸収性物品１の平面形状としては、図１に示されるように、股間部へのフィット性を高めるため、上側が幅広で下側が幅狭の略台形状とするのが好ましい。また、この他に、逆三角形状や円形状、楕円形状、多角形状などで形成しても構わない。男性用吸収性物品１の上側の外形幅としては、１７０〜２００ｍｍとするのがよく、下側の外形幅としては、７０〜８０ｍｍとするのがよい。
【００４７】
図２及び図４に示されるように、前開き部１０の両側に配置される粘着剤層１３、１４は、前開き部１０の傾斜に沿って傾斜する帯状に設けるのが好ましい。これによって、男性用吸収性物品１を男性用下着３０に確実に固定でき、男性用下着３０の前立て開口部３３との連動性が良好になる。
【００４８】
前記男性用吸収性物品１を製造するには、次の工程で行うことができる。先ずはじめに、図６(A)に示されるように、前開き部１０に対応する位置から上端にかけて吸収体の欠損部１８が形成された所定形状の吸収体４を製造し、前記吸収体４の肌側面及び非肌側面をそれぞれ透液性表面シート３及び不透液性裏面シート２で覆い、前記吸収体４以外の領域（点線部の外側領域）において透液性表面シート３及び不透液性裏面シート２を接合する全周シールを施す。次いで、同図６(B)に示されるように、前記吸収体４の欠損部１８の中央部に沿って、透液性表面シート３及び不透液性裏面シート２を一体的に切断する切り込み線１９を形成する。その後、同図６(C)に示されるように、前開き部１０の上端において、一方側分割部１１と他方側分割部１２とが所定の重なり代を有するように、重ね合わせ、前開き部１０より上側の領域に接合部１７を施す。このように、左右に分割された一方側分割部１１と他方側分割部１２とを重ね合わせることにより、男性用吸収性物品１の中央部が外側に膨出するカップ状に形成されるため、男性用下着３０に装着したときに装着感が良好になるとともに、体液の漏れが防止できる。
【００４９】
変形例に係る男性用吸収性物品１として、図７に示されるように、前開き部１０において他方側分割部１２の肌当接面側に重ね合わされた一方側分割部１１の前開き部１０に沿って、肌側に起立する立体ギャザー２０を形成してもよい。前記立体ギャザー２０は、前記前開き部１０に沿うとともに、一方側分割部１１の内方側に向けて配設されたギャザー形成用不織布２１によって形成されている。前記ギャザー形成用不織布２１は、前開き部１０の端縁部に沿って透液性表面シート３の肌当接面側に接合されるとともに、内方側部分がほぼ二重に折り返されて、この二重シート内部に弾性伸縮部材２２が両端または長手方向の適宜の位置が固定された状態で配設されている。前記ギャザー形成用不織布２１は、上下端部がそれぞれ透液性表面シート３の肌当接面側に接合されることによって、前記弾性伸縮部材２２の収縮力によって肌側に起立する立体ギャザー２０が形成されている。前記一方側分割部１１の前開き部１０に沿って立体ギャザー２０を形成することにより、装着時に前記前開き部１０において一方側分割部１１と他方側分割部１２との間に陰茎が入り込むのが防止でき、体液の漏れが防止できるとともに、前記立体ギャザーによって体液が塞き止められ、吸収体４の端部からの漏れが防止できる。前記立体ギャザー２０は、前開き部１０の上端から下端にかけて、前開き部１０の全長に亘って形成するのが好ましい。
【００５０】
〔他の形態例〕
(1)上記形態例では、一方側分割部１１と他方側分割部１２とを重ね合わせて前開き部１０を形成していたが、図８に示されるように、一方側分割部１１と他方側分割部１２とが重なることなく、両者の間に切り込み部２３を設けることによって前開き部１０を構成してもよい。これにより、一方側分割部１１と他方側分割部１２とを重ね合わせる工程がなくなり、製造が簡略化できるとともに、装着時の違和感が軽減できる。
【００５１】
図８(A)に示される男性用吸収性物品１では、吸収体４の外周に接続しない中間部に島状の欠損部２４が形成され、この吸収体４の欠損部２４の中央部であって、男性用吸収性物品１の外周に接続しない中間部に前記切り込み部２３が形成されている。本形態例では、中間部に切り込み部２３が設けられ、その上方の吸収体４が左右に連続して設けられているため、装着時に前開き部１０が意図せずに口開きするのが抑えられるとともに、一方側分割部１１と他方側分割部１２との間で吸収体４に吸収された体液の移行が行われるため、体液の吸収効率が向上できる利点がある。
【００５２】
図８(B)に示される男性用吸収性物品１では、吸収体４の上端から切欠き状の欠損部２５が形成され、男性用吸収性物品１の上端から前記吸収体４の欠損部２５の中央部を通る切り込み部２３が形成されている。本形態例では、前開き部１０の上方において一方側分割部１１と他方側分割部１２とが接合されていないため、排尿に際して下着の前立て開口部を開口したとき、これに連動して男性用吸収性物品１の前開き部１０が口開きしやすくなる。
【００５３】
(2)上記形態例では、前開き部１０は直線で構成していたが、曲線で構成してもよい。特に、男性用下着３０の前立て開口部３３の開口動作との連動性を高めるため、男性用下着３０の前立て開口部３３の裏側開口端縁の形状に合わせた曲線とするのが好ましい。
【符号の説明】
【００５４】
１…男性用吸収性物品、２…不透液性裏面シート、３…透液性表面シート、４…吸収体、５…被包シート、１０…前開き部、１１…一方側分割部、１２…他方側分割部、１３〜１６…粘着剤層、１７…接合部、１８…（吸収体の）欠損部、２０…立体ギャザー、３０…男性用下着、３１…表側前立て部、３２…裏側前立て部、３３…前立て開口部
【図１】
2019024590.tif 000003
【図２】
2019024590.tif 000004
【図３】
2019024590.tif 000005
【図４】
2019024590.tif 000006
【図５】
2019024590.tif 000007
【図６】
2019024590.tif 000008
【図７】
2019024590.tif 000009
【図８】
2019024590.tif 000010